(57)【特許請求の範囲】
【請求項１】
床排水ファンネル或いは母排水配管に連通する配管の開口端部から流体を流して前記配管の内部を洗浄する配管洗浄治具であって、
前記床排水ファンネル或いは前記母排水配管に沿って挿入される導流体管と、
前記導流体管に接続され、前記配管の開口端部から流体を前記配管の内部に噴射するノズルと、
前記ノズルを取り囲むように配置され、前記配管の開口端部に密着する密着部材と、
前記ノズルの噴射方向の逆側に位置する前記床排水ファンネル或いは前記母排水配管の内壁を押圧し、前記密着部材を前記配管の開口端部に密着させる押圧部材と、
流体の圧力を調節する圧力調節弁と、
前記圧力調節弁の上流側及び下流側に流体の圧力を計測する圧力計と、を備える、
ことを特徴とする配管洗浄用治具。
【請求項２】
前記押圧部材が前記ノズルの噴射方向の逆側に伸びる押圧機構によって前記密着部材を前記配管の開口端部に密着させる、
ことを特徴とする請求項１に記載の配管洗浄用治具。
【請求項３】
前記押圧機構は、外筒と前記外筒に挿入された内棒とを有し、調整部材の回転により前記外筒から内棒が突出する、
ことを特徴とする請求項２に記載の配管洗浄用治具。
【請求項４】
前記押圧機構がジャッキである、
ことを特徴とする請求項２に記載の配管洗浄用治具。
【請求項５】
前記密着部材がドーナツ形状であり、前記ノズルを覆って設置されている、
ことを特徴とする請求項１乃至４のいずれか一項に記載の配管洗浄用治具。
【請求項６】
前記密着部材が円錐形状である、
ことを特徴とする請求項１乃至４のいずれか一項に記載の配管洗浄用治具。
【発明の詳細な説明】
【技術分野】
【０００１】
本発明は、配管洗浄用治具に関する。
【背景技術】
【０００２】
原子力発電所などのプラントでは、建屋内の床の洗浄や機器の分解点検、あるいは配管の損傷などに伴って床に流出する排水（以下、床排水）が発生する。そのため、図６に示すように、建屋７５のそれぞれの部屋の床７３に床排水ファンネル７０が配置され、床排水ファンネル７０、床排水ファンネル７０に連結する配管７１、配管７１が連結する母排水配管７２を通じて床排水をドレンサンプタンク７４等、排水設備へ流下させるようにしている。
【０００３】
このような配管に詰まりが生じると、床排水を流下させることができず、逆流してしまうおそれがあるため、定期的に配管の点検、洗浄が行われる。
【０００４】
配管を洗浄するものとして、例えば、特許文献１，２に開示されている洗浄用治具が知られている。特許文献１，２の洗浄用治具は、ノズルがゴム等の膨張可能な袋体に覆われており、袋体を配管内部に設置してノズルから流体を噴射させることにより、袋体が膨張し配管内に固定される。袋体に形成された穴を通じて、ノズルから噴射された流体が配管の内壁を洗浄する。
【先行技術文献】
【特許文献】
【０００５】
【特許文献１】特開２０１２−２０２２００号公報
【特許文献２】特許４８５９２６３号公報
【発明の概要】
【発明が解決しようとする課題】
【０００６】
特許文献１，２の配管洗浄用治具の場合、高圧で流体を流そうとすると、噴射圧等により袋体が配管内部から抜け出てしまうおそれがあり、高圧流体による配管内部の洗浄には適していない。
【０００７】
本発明は、上記事項に鑑みてなされたものであり、その目的とするところは、高圧流体を流して配管内部を洗浄可能な配管洗浄用治具を提供することにある。
【課題を解決するための手段】
【０００８】
本発明に係る配管洗浄用治具は、
床排水ファンネル或いは母排水配管に連通する配管の開口端部から流体を流して前記配管の内部を洗浄する配管洗浄治具であって、
前記床排水ファンネル或いは前記母排水配管に沿って挿入される導流体管と、
前記導流体管に接続され、前記配管の開口端部から流体を前記配管の内部に噴射するノズルと、
前記ノズルを取り囲むように配置され、前記配管の開口端部に密着する密着部材と、
前記ノズルの噴射方向の逆側に位置する前記床排水ファンネル或いは前記母排水配管の内壁を押圧し、前記密着部材を前記配管の開口端部に密着させる押圧部材と、
流体の圧力を調節する圧力調節弁と、
前記圧力調節弁の上流側及び下流側に流体の圧力を計測する圧力計と、を備える、
ことを特徴とする。
【０００９】
また、前記押圧部材が前記ノズルの噴射方向の逆側に伸びる押圧機構によって前記密着部材を前記配管の開口端部に密着させてもよい。
【００１０】
また、前記押圧機構は、外筒と前記外筒に挿入された内棒とを有し、調整部材の回転により前記外筒から内棒が突出してもよい。
【００１１】
また、前記押圧機構がジャッキであってもよい。
【００１２】
また、前記密着部材がドーナツ形状であり、前記ノズルを覆って設置されていてもよい。
【００１３】
また、前記密着部材が円錐形状であってもよい。
【発明の効果】
【００１４】
本発明に係る配管洗浄用治具では、押圧部材によって配管の開口端部に密着部材が密着した状態でノズルから流体を噴射して洗浄する。ノズルが配管から抜け出るおそれがなく、高圧流体による配管内部の洗浄を実現している。
【図面の簡単な説明】
【００１５】
【図１】配管洗浄用治具を示す図である。
【図２】配管洗浄用治具を示す図である。
【図３】押圧部材の斜視図である。
【図４】他の形態に係る押圧部材の斜視図である。
【図５】他の形態に係る配管洗浄用治具を示す図である。
【図６】床排水ファンネルが設置された建屋の構造を示す図である。
【発明を実施するための形態】
【００１６】
本実施の形態に係る配管洗浄用治具１は、図１、図２に示すように、ノズル１０と、密着部材２０と、押圧部材３０と、導流体管４０と、バルブ５０と、圧力計５１ａ、５１ｂと、ホース６０を備える。配管洗浄用治具１は、床排水ファンネル７０或いは母排水配管に連通する配管７１ａの開口端部から流体を流して配管７１ａの内部を洗浄するために用いられる治具である。
【００１７】
ノズル１０は、配管７１ａの内部に水や高温水、蒸気等の流体を噴射し、配管７１ａの内部の詰まりを除去する。配管７１ａの内部に高圧で流体を噴射可能なノズルが用いられる。
【００１８】
密着部材２０は、配管７１ａの開口端部に密着し、ノズル１０から噴射された流体が配管７１ａから床排水ファンネル７０へ逆流しないようにする機能を有する。このような機能を満たすため、密着部材２０は、配管７１ａの開口端部に密着し隙間が生じず、また、蒸気等の高温の流体を流した際に流動性を示さない耐熱性を有する合成ゴム等の弾性素材から構成されていることが好ましい。ここでは、密着部材２０は、ドーナツ状の平板であり、ノズル１０を取り囲むように配置されている。また、密着部材２０には、背面に硬質で機械的強度の高い支持部材２１が設置されている。
【００１９】
押圧部材３０は、密着部材２０を配管７１ａの開口端部に押し付けて密着させる機能を有する。押圧部材３０は、ノズル１０の噴射方向とは逆向きに伸張する押圧機構により、配管７１ａの開口端部の対面の位置にある床排水ファンネル７０の内壁を押圧することにより、密着部材２０を配管７１ａの開口端部に押し付ける。
【００２０】
ここでは、押圧機構は、外筒３２に内シャフト３１が挿入され、調整部材３３を回転させることにより、内シャフト３１が伸びる機構である。
【００２１】
床排水ファンネル７０の内部に、配管７１ａに対向して配管７１ｂが突出している場合、押圧部材３０は、配管７１ｂを避けて、配管７１ｂの周囲に位置する床排水ファンネル７０の内壁を押圧できる形状の部材が用いられる。ここでは、図３に示すように、押圧部材３０は、板状部材３０ａの上部及び下部から突出する突出部３０ｂを有しており、２つの突出部３０ｂの間隔が配管７１ｂの径よりも大きく設定されている。これにより、押圧部材３０が配管７１ｂを直接押圧して、配管７１ｂを損傷させるおそれもない。なお、押圧部材３０の床排水ファンネル７０に当接する箇所は、床排水ファンネル７０の内壁の損傷を避けるべく、合成ゴム等の弾性素材から形成されていてもよい。
【００２２】
導流体管４０は、内部を流体が流れ、ノズル１０まで流体が導かれる管である。導流体管４０は、床排水ファンネル７０に沿って挿入されるものであり、通常、床排水ファンネル７０は床に対して垂直方向に延びているので、導流体管４０は直線状であることが好ましい。
【００２３】
そして、配管７１ａは、通常、床排水ファンネル７０の周面に連通しているので、ノズル１０は導流体管４０に対して垂直に流体を噴射できるよう配置されているとよい。
【００２４】
また、導流体管４０の他端には、バルブ５０が設置されており、バルブ５０の他端にはホース６０が接続されている。ホース６０を通じて導流体管４０、ノズル１０を流体が通過して噴射される。また、バルブ５０の開度調節により、流体の噴射、停止、並びに流量（圧力）調節が可能である。
【００２５】
バルブ５０を挟み、バルブ５０の上流側及び下流側に流体圧力計測用の圧力計５１ａ、５１ｂが設置されている。これにより、配管内の閉塞状況や流体の噴射状況を把握し、洗浄効果を確認することができる。
【００２６】
上述した配管洗浄用治具１による配管の洗浄方法について説明する。
【００２７】
まず、図１に示すように、押圧部材３０が伸びていない状態で、ノズル１０側から配管洗浄用治具１を床排水ファンネル７０に挿入する。そして、配管７１ａの開口端部に、ノズル１０の位置を合わせる。
【００２８】
そして、調整部材３３を回転させ、内シャフト３１を突出させることにより、押圧部材３０が床排水ファンネル７０の内壁を押圧する。押圧部材３０が床排水ファンネル７０の内壁を押圧する反力によって、密着部材２０が配管７１ａに押し付けられ、密着する。
【００２９】
その後、バルブ５０を開くことにより、ホース６０、バルブ５０、導流体管４０を通じ、ノズル１０から配管７１ａの内部へ流体が噴射される。
【００３０】
押圧部材３０によって、密着部材２０を配管７１ａの開口端部に密着させているので、ノズル１０が配管７１ａから外れるおそれがなく、高圧の流体で配管７１ａの内部を洗浄することができる。また、配管７１ａが奥深い位置に形成されている場合であっても、導流体管４０に十分な長さがあれば、密着部材２０を配管７１ａに密着させることが可能であり、配管７１ａの内部を洗浄することができる。
【００３１】
なお、図４に示すように、押圧部材３０は、板状部材３０ａの左右から突出する突出部３０ｂを有する形態でもよい。
【００３２】
また、図５に示すように、密着部材２０は円錐形状であってもよい。この場合、密着部材２０は、ノズル１０側を頂点とする円錐形状であり、その内部をノズル１０が貫通するよう構成される。
【００３３】
また、押圧部材３０は、上記のように床排水ファンネル７０に配管７１ｂが連通していない場合、上記のような配管７１ｂを避ける形状でなくてもよく、図５に示すような円柱形状や立方体形状であってもよい。
【００３４】
また、図５に示すように、ジャッキ３４による押圧機構で押圧部材３０が移動して床排水ファンネル７０の内壁を押圧する形態であってもよい。ジャッキ３４は、調整部材３３の回転により駆動する形式でも油圧式であってもよい。
【符号の説明】
【００３５】
１    配管洗浄用治具
１０    ノズル
２０    密着部材
２１    支持部材
３０    押圧部材
３０ａ  板状部材
３０ｂ  突出部
３１    内シャフト
３２    外筒
３３    調整部材
３４    ジャッキ
４０    導流体管
５０    バルブ
５１ａ  圧力計
５１ｂ  圧力計
６０    ホース
７０    床排水ファンネル
７１    配管
７１ａ  配管
７１ｂ  配管
７２    母排水配管
７３    床
７４    ドレンサンプタンク
７５    建屋
【図１】
0006510822.tif 000002
【図２】
0006510822.tif 000003
【図３】
0006510822.tif 000004
【図４】
0006510822.tif 000005
【図５】
0006510822.tif 000006
【図６】
0006510822.tif 000007